(57)【要約】      （修正有）【課題】改質燃料ガスの一部を燃料ガス供給流路に戻す際にリサイクル流路にて発生するおそれのある結露を防止する。【解決手段】燃料ガス供給流路１４を通して供給される燃料ガス中の硫黄成分を除去するための脱硫器２２と、脱硫された燃料ガスを改質するための改質器４と、改質燃料ガス及び酸化材の酸化及び還元によって発電を行う燃料電池セルスタック６と、改質器４及び燃料電池セルスタック６を収容するための電池収容ハウジング５８と、を備えた固体酸化物形燃料電池システム。改質器４からの改質燃料ガスの一部を燃料ガス供給流路１４に戻すリサイクル流路６２が設けられ、このリサイクル流路６２に関連して加熱手段７０が設けられ、加熱手段７０はリサイクル流路６２の少なくとも一部を加熱してリサイクル流路６２における結露発生を防止する。【選択図】図１
2017147024.tif 000002
【特許請求の範囲】
【請求項１】
燃料ガス供給源からの燃料ガスを燃料ガス供給流路を通して供給するための燃料ガス供給手段と、前記燃料ガス供給流路を通して供給される燃料ガス中の硫黄成分を除去するための脱硫器と、脱硫された燃料ガスを改質するための改質器と、前記改質器にて改質された改質燃料ガス及び酸化材の酸化及び還元によって発電を行う燃料電池セルスタックと、を備えた固体酸化物形燃料電池システムであって、
前記改質器からの改質燃料ガスの一部を前記燃料ガス供給流路にリサイクルするためのリサイクル流路が設けられ、前記リサイクル流路に関連して加熱手段が設けられ、前記加熱手段は前記リサイクル流路の少なくとも一部を加熱して前記リサイクル流路における結露水による閉塞の発生を防止することを特徴とする固体酸化物形燃料電池システム。
【請求項２】
前記リサイクル流路には、前記リサイクル流路を通してリサイクルされる改質燃料ガスの流量を調整するための第１オリフィス部材が配設され、前記加熱手段は、前記第１オリフィス部材及び／又はその近傍を加熱して前記リサイクル流路における結露水による閉塞の発生を防止することを特徴とする請求項１に記載の固体酸化物形燃料電池システム。
【請求項３】
前記燃料ガス供給流路における、燃料ガスと前記リサイクル流路からのリサイクルガスとが混合した混合燃料ガスが流れる混合流路部には、前記混合流路部を通して流れる混合燃料ガスの流量を調整するための第２オリフィス部材が配設され、前記加熱手段は、前記第１オリフィス部材及び／又はその近傍と前記第２オリフィス部材及び／又はその近傍との双方を加熱して結露水による閉塞の発生を防止することを特徴とする請求項２に記載の固体酸化物形燃料電池システム。
【請求項４】
燃料ガス供給源からの燃料ガスを燃料ガス供給流路を通して供給するための燃料ガス供給手段と、前記燃料ガス供給流路を通して供給される燃料ガス中の硫黄成分を除去するための脱硫器と、脱硫された燃料ガスを改質するための改質器と、前記改質器にて改質された改質燃料ガス及び酸化材の酸化及び還元によって発電を行う燃料電池セルスタックと、を備えた固体酸化物形燃料電池システムであって、
前記改質器からの改質燃料ガスの一部を前記燃料ガス供給流路にリサイクルするためのリサイクル流路が設けられ、燃料ガス供給流路における、燃料ガスと前記リサイクル流路からのリサイクルガスとが混合した混合燃料ガスが流れる混合流路部に関連して加熱手段が設けられ、前記加熱手段は前記燃料ガス供給流路の前記混合流路部の少なくとも一部を加熱して前記混合流路部における結露水による部分閉塞の発生を防止することを特徴とする固体酸化物形燃料電池システム。
【請求項５】
前記燃料ガス供給流路の前記混合流路部には、前記混合流路部を通して流れる混合燃料ガスの流量を調整するためのオリフィス部材が配設され、前記加熱手段は、前記オリフィス部材及び／又はその近傍を加熱して前記燃料ガス供給流路の前記混合流路部における結露水による部分閉塞の発生を防止することを特徴とする請求項４に記載の固体酸化物形燃料電池システム。
【請求項６】
前記加熱手段は、通電により加熱する電気ヒータであることを特徴とする請求項１〜５のいずれかに記載の固体酸化物形燃料電池システム。
【請求項７】
前記燃料ガス供給流路には、前記燃料ガス供給流路を通して流れる燃料ガスとリサイクルガスとの混合燃料ガスの流量を検知するための混合燃料ガス流量検知手段又はこの混合燃料ガスの圧力を検知するための混合燃料ガス圧力検知手段が設けられ、前記混合燃料ガス流量検知手段又は前記混合燃料ガス圧力検知手段が異常を検知すると、前記電気ヒータが作動して結露水による部分閉塞が解消されることを特徴とする請求項６に記載の固体酸化物形燃料電池システム。
【請求項８】
前記燃料電池セルスタックからの燃焼排気ガスの熱を温水として回収するための貯湯装置を含み、前記貯湯装置は、温水を貯めるための貯湯タンクと、前記貯湯タンク内の貯湯水を循環させるための循環流路と、前記循環流路に配設され且つ燃焼排気ガスと前記循環流路を流れる貯湯水との間で熱交換を行う熱交換器とを備え、前記貯湯タンク又は前記循環流路が前記加熱手段として機能し、前記循環流路を流れる温水又は前記貯湯タンクに貯えられた温水からの熱を利用して結露水による閉塞の発生を防止することを特徴とする請求項１〜７のいずれかに記載の固体酸化物形燃料電池システム。
【請求項９】
前記電池収容ハウジング及び前記脱硫器は発電ユニットハウジング内に収容され、前記発電ユニットハウジングに関連して、前記発電ユニットハウジング内の温熱を換気するための換気ファンが設けられ、前記換気ファンが前記加熱手段として機能し、前記換気ファンからの温風の熱を利用して結露水による閉塞の発生を防止することを特徴とする請求項１〜５のいずれかに記載の固体酸化物形燃料電池システム。
【発明の詳細な説明】
【技術分野】
【０００１】
本発明は、燃料ガスを燃料として発電を行う燃料電池セルスタックを備えた固体酸化物形燃料電池システムに関する。
【背景技術】
【０００２】
従来から、酸化物イオンを伝導する膜として固体電解質を用いた燃料電池セルスタックを備えた固体酸化物形燃料電池システムが知られている。この固体酸化物形燃料電池システムでは、一般的に、固体電解質としてイットリアをドープしたジルコニアが用いられており、この固体電解質の一方側には燃料ガス（例えば、天然ガス）を酸化するための燃料極が設けられ、その他方側には酸化材（例えば、空気中の酸素）を還元するための空気極が設けられている。燃料電池セルスタックの作動温度は約７００〜１０００℃と高く、このような高温状態下において、改質された燃料ガス中の水素、一酸化炭素、炭化水素等と酸化材としての空気中の酸素とが電気化学反応を起こすことによって発電が行われる。
【０００３】
燃料ガスは改質器にて改質（例えば、水蒸気を用いた水蒸気改質）され、改質された燃料ガスが燃料電池セルスタックの燃料極側に送給される。この改質器に送られる燃料ガス（例えば、都市ガス、ＬＰガス）には、ガス漏洩時に知覚できるように付臭剤が含有され、この付臭剤は硫黄成分を含んでいる。付臭剤中の硫黄成分は改質触媒に悪影響を及ぼし、改質触媒の性能劣化を引き起こす原因になり、それ故に、改質器に送給する前に燃料ガス中の付臭剤、特にその硫黄成分を除去する必要がある。
【０００４】
このために、改質器の上流側に、脱硫剤を収容した脱硫器が配設され、改質器にて改質される前に燃料ガス中の硫黄成分が脱硫器の脱硫剤により取り除かれ、硫黄成分が除去された燃料ガスが改質器に送給される。また、この脱硫器での脱硫作用を高めるために、脱硫器に収容する脱硫剤として超高次脱硫剤を用いた固体酸化物形燃料電池システムが提案されている（例えば、特許文献１参照）。
【０００５】
この固体酸化物形燃料電池システムでは、この脱硫器に関連して、改質器にて水蒸気改質された改質燃料ガスの一部を燃料ガス供給流路に戻すリサイクル流路が設けられ、改質器から燃料電池セルスタックの燃料極側に送給される改質燃料ガスの一部が、このリサイクル流路を通して燃料ガス供給流路における脱硫器の上流側に戻され、燃料ガスにこの戻された改質燃料ガスが混合されて脱硫器に供給される。このように改質燃料ガスの一部をリサイクルすると、水素を含む燃料ガスが脱硫器に供給され、この水素と燃料中の付臭剤とが反応して硫化水素となり、さらにこの硫化水素が脱硫剤に化学的に吸着されることで高度な脱硫作用が発揮され、燃料ガスに含まれた硫黄成分を所要の通りに除去することができる。
【先行技術文献】
【特許文献】
【０００６】
【特許文献１】特開２０１１−１５９４８５号公報
【発明の概要】
【発明が解決しようとする課題】
【０００７】
この固体酸化物形燃料電池システムでは、リサイクル流路にオリフィス部材が配設され、このオリフィス部材によって、リサイクル流路を通して燃料ガス供給流路に戻される改質燃料ガス（本明細書では、「リサイクルガス」とも称する）の流量が調整される。このように構成することにより、燃料ガス供給流路における燃料ガスとリサイクルガスとの混合比が所定の適正範囲に保たれ、脱硫器に流れる燃料ガスに含まれる水素の濃度が所定範囲に保たれる。
【０００８】
脱硫器に供給される燃料ガス中の水素濃度は１〜２％であるが、燃料電池セルスタックの発電出力が変動すると、これに伴って燃料ガスの供給流量も変動し、これによって、リサイクル流路を通してリサイクルされるリサイクルガスのリサイクル量（即ち、リサイクル比率）が変わり、燃料ガス中の水素濃度が変化する。このように燃料ガス中に含まれる水素濃度が変化する場合、特に水素濃度が高くなる条件では、リサイクルガスに含まれる水分量も多くなり、このリサイクル流路などで凝縮により生成される結露水が滞留しやすくなり、結露水による閉塞が発生するおそれがある。このリサイクル流路にて閉塞が発生すると、燃料ガス供給流路に戻されるリサイクルガス（改質燃料ガス）の量が少なくなり、従って、燃料ガス中に含まれる水素濃度が低下し、脱硫剤による脱硫作用が充分に発揮されず、改質触媒の性能劣化の原因となる。また、燃料ガスと前記リサイクル流路からのリサイクルガスとが混合した混合燃料ガスが流れる混合流路部にて結露水が生じると、オリフィス部材への付着状態が継時的に変化するために燃料流量の変動が生じやすくなり、場合によっては、燃料電池セルスタックの損傷をまねくおそれがあった。
【０００９】
本発明の目的は、改質燃料ガスの一部を燃料ガス供給流路に戻す際にリサイクル流路にて発生するおそれのある結露水による閉塞や流量の不安定な挙動の発生を防止することができる固体酸化物形燃料電池システムを提供することである。
【００１０】
本発明の他の目的は、改質燃料ガスの一部を燃料ガス供給流路に戻す際に燃料ガス供給流路に発生するおそれのある結露水による閉塞や流量制御の不安定な挙動の発生を防止することができる固体酸化物形燃料電池システムを提供することである。
【課題を解決するための手段】
【００１１】
本発明の請求項１に記載の固体酸化物形燃料電池システムは、燃料ガス供給源からの燃料ガスを燃料ガス供給流路を通して供給するための燃料ガス供給手段と、前記燃料ガス供給流路を通して供給される燃料ガス中の硫黄成分を除去するための脱硫器と、脱硫された燃料ガスを改質するための改質器と、前記改質器にて改質された改質燃料ガス及び酸化材の酸化及び還元によって発電を行う燃料電池セルスタックと、を備えた固体酸化物形燃料電池システムであって、
前記改質器からの改質燃料ガスの一部を前記燃料ガス供給流路にリサイクルするためのリサイクル流路が設けられ、前記リサイクル流路に関連して加熱手段が設けられ、前記加熱手段は前記リサイクル流路の少なくとも一部を加熱して前記リサイクル流路における結露水による閉塞の発生を防止することを特徴とする。
【００１２】
また、本発明の請求項２に記載の固体酸化物形燃料電池システムでは、前記リサイクル流路には、前記リサイクル流路を通してリサイクルされる改質燃料ガスの流量を調整するための第１オリフィス部材が配設され、前記加熱手段は、前記第１オリフィス部材及び／又はその近傍を加熱して前記リサイクル流路における結露水による閉塞の発生を防止することを特徴とする。
【００１３】
また、本発明の請求項３に記載の固体酸化物形燃料電池システムでは、前記燃料ガス供給流路における、燃料ガスと前記リサイクル流路からのリサイクルガスとが混合した混合燃料ガスが流れる混合流路部には、前記混合流路部を通して流れる混合燃料ガスの流量を調整するための第２オリフィス部材が配設され、前記加熱手段は、前記第１オリフィス部材及び／又はその近傍と前記第２オリフィス部材及び／又はその近傍との双方を加熱して結露水による閉塞の発生を防止することを特徴とする。
【００１４】
また、本発明の請求項４に記載の固体酸化物形燃料電池システムは、燃料ガス供給源からの燃料ガスを燃料ガス供給流路を通して供給するための燃料ガス供給手段と、前記燃料ガス供給流路を通して供給される燃料ガス中の硫黄成分を除去するための脱硫器と、脱硫された燃料ガスを改質するための改質器と、前記改質器にて改質された改質燃料ガス及び酸化材の酸化及び還元によって発電を行う燃料電池セルスタックと、を備えた固体酸化物形燃料電池システムであって、
前記改質器からの改質燃料ガスの一部を前記燃料ガス供給流路にリサイクルするためのリサイクル流路が設けられ、燃料ガス供給流路における、燃料ガスと前記リサイクル流路からのリサイクルガスとが混合した混合燃料ガスが流れる混合流路部に関連して加熱手段が設けられ、前記加熱手段は前記燃料ガス供給流路の前記混合流路部の少なくとも一部を加熱して前記混合流路部における結露水による部分閉塞の発生を防止することを特徴とする。
【００１５】
また、本発明の請求項５に記載の固体酸化物形燃料電池システムでは、前記燃料ガス供給流路の前記混合流路部には、前記混合流路部を通して流れる混合燃料ガスの流量を調整するためのオリフィス部材が配設され、前記加熱手段は、前記オリフィス部材及び／又はその近傍を加熱して前記燃料ガス供給流路の前記混合流路部における結露水による部分閉塞の発生を防止することを特徴とする。
【００１６】
また、本発明の請求項６に記載の固体酸化物形燃料電池システムでは、前記加熱手段は、通電により加熱する電気ヒータであることを特徴とする。
【００１７】
また、本発明の請求項７に記載の固体酸化物形燃料電池システムでは、前記燃料ガス供給流路には、前記燃料ガス供給流路を通して流れる燃料ガスとリサイクルガスとの混合燃料ガスの流量を検知するための混合燃料ガス流量検知手段又はこの混合燃料ガスの圧力を検知するための混合燃料ガス圧力検知手段が設けられ、前記混合燃料ガス流量検知手段又は前記混合燃料ガス圧力検知手段が異常を検知すると、前記電気ヒータが作動して結露水による部分閉塞が解消されることを特徴とする。
【００１８】
また、本発明の請求項８に記載の固体酸化物形燃料電池システムでは、前記燃料電池セルスタックからの燃焼排気ガスの熱を温水として回収するための貯湯装置を含み、前記貯湯装置は、温水を貯めるための貯湯タンクと、前記貯湯タンク内の貯湯水を循環させるための循環流路と、前記循環流路に配設され且つ燃焼排気ガスと前記循環流路を流れる貯湯水との間で熱交換を行う熱交換器とを備え、前記貯湯タンク又は前記循環流路が前記加熱手段として機能し、前記循環流路を流れる温水又は前記貯湯タンクに貯えられた温水からの熱を利用して結露水による閉塞の発生を防止することを特徴とする。
【００１９】
更に、本発明の請求項９に記載の固体酸化物形燃料電池システムでは、前記電池収容ハウジング及び前記脱硫器は発電ユニットハウジング内に収容され、前記発電ユニットハウジングに関連して、前記発電ユニットハウジング内を換気するための換気ファンが設けられ、前記換気ファンが前記加熱手段として機能し、前記換気ファンからの温風の熱を利用して結露水による閉塞の発生を防止することを特徴とする。
【発明の効果】
【００２０】
本発明の請求項１に記載の固体酸化物形燃料電池システムによれば、改質器からの改質燃料ガスの一部を燃料ガス供給流路にリサイクルするためのリサイクル流路に関連して加熱手段が設けられ、この加熱手段がリサイクル流路の少なくとも一部を加熱するので、このリサイクル流路での結露水による閉塞の発生を防止することができる。
【００２１】
また、本発明の請求項２に記載の固体酸化物形燃料電池システムによれば、リサイクル流路に第１オリフィス部材が配設され、加熱手段は、この第１オリフィス部材及び／又はその近傍を加熱するので、結露水によって閉塞が発生し易い第１オリフィス部材及びその近傍での閉塞発生を防止することができる。
【００２２】
また、本発明の請求項３に記載の固体酸化物形燃料電池システムによれば、燃料ガス供給流路の混合流路部に第２オリフィス部材が配設され、加熱手段は第１オリフィス部材及び／又はその近傍と第２オリフィス部材及び／又はその近傍との双方を加熱するので、結露水によって閉塞が発生し易いこれらの箇所での閉塞発生を防止することができる。
【００２３】
また、本発明の請求項４に記載の固体酸化物形燃料電池システムによれば、改質燃料ガスの一部を燃料ガス供給流路にリサイクルするためのリサイクル流路が設けられ、燃料ガス供給流路の混合流路部に関連して加熱手段が設けられ、この加熱手段は燃料ガス供給流路の混合流路部の少なくとも一部を加熱するので、この混合流路部における結露水による部分閉塞の発生を防止することができる。
【００２４】
また、本発明の請求項５に記載の固体酸化物形燃料電池システムによれば、燃料ガス供給流路の混合流路部にオリフィス部材が配設され、加熱手段はこのオリフィス部材及び／又はその近傍を加熱するので、結露の発生し易いオリフィス部材及びその近傍での結露水による部分閉塞の発生を防止することができる。
【００２５】
また、本発明の請求項６に記載の固体酸化物形燃料電池システムによれば、加熱手段が電気ヒータから構成されているので、この電気ヒータへの通電を制御することにより結露水による閉塞を防止することができる。
【００２６】
また、本発明の請求項７に記載の固体酸化物形燃料電池システムによれば、結露水による閉塞が発生したときには、燃料ガスの流量制御が不安定となり、混合燃料ガス流量検知手段による検知信号に変動が生じたり、またオリフィス部材への付着状態が継時的に変化することに起因して、混合燃料ガス圧力検知手段を設けた場合にはその検知圧力に変動が生じたりする。そのため、この混合燃料ガス流量検知手段又は混合燃料ガス圧力検知手段が異常を検知した場合に、電気ヒータが作動されるように構成するので、結露水による閉塞を解消し、燃料ガスの流量制御やリサイクルガスの流量を安定的な状態に復帰させることができる。
【００２７】
また、本発明の請求項８に記載の固体酸化物形燃料電池システムによれば、温水を貯湯するための貯湯装置における貯湯タンク（又は循環流路）を加熱手段として機能させ、貯湯タンクに貯えられた温水（又は循環流路を流れる温水）からの熱を利用して結露水による閉塞を防止することができる。
【００２８】
更に、本発明の請求項９に記載の固体酸化物形燃料電池システムによれば、発電ユニットハウジング内の温熱を換気するための換気ファンを加熱手段として機能させ、この換気ファンからの温風の熱を利用して結露水による閉塞を防止することができる。
【図面の簡単な説明】
【００２９】
【図１】本発明に従う固体酸化物形燃料電池システムの第１の実施形態を簡略的に示す全体図。
【図２】本発明に従う固体酸化物形燃料電池システムの第２の実施形態を簡略的に示す全体図。
【図３】本発明に従う固体酸化物形燃料電池システムの第３の実施形態を簡略的に示す全体図。
【図４】本発明に従う固体酸化物形燃料電池システムの第４の実施形態を簡略的に示す全体図。
【図５】本発明に従う固体酸化物形燃料電池システムの第５の実施形態を簡略的に示す全体図。
【発明を実施するための形態】
【００３０】
以下、添付図面を参照して、本発明に従う固体酸化物形燃料電池システムの各種実施形態について説明する。
【００３１】
〔第１の実施形態〕
まず、図１を参照して、固体酸化物形燃料電池システムの第１の実施形態について説明する。図１において、図示の固体酸化物形燃料電池システム２は、燃料ガス（例えば、都市ガス、ＬＰガスなど）を消費して発電を行うものであり、燃料ガスを改質するための改質器４と、改質器４にて改質された燃料ガス及び酸化材としての空気の酸化及び還元によって発電を行う固体酸化物形の燃料電池セルスタック６と、を備えている。
【００３２】
燃料電池セルスタック６は、燃料電池反応によって発電を行うための複数の固体酸化物形の燃料電池セルを集電部材を介して積層して構成されており、図示していないが、酸素イオンを伝導する固体電解質と、この固体電解質の一方側に設けられた燃料極と、固体電解質の他方側に設けられた空気極とを備え、固体電解質として例えばイットリアをドープしたジルコニアが用いられる。
【００３３】
燃料電池セルスタック６の燃料極の導入側は、改質燃料ガス送給流路８を介して改質器４に接続され、この改質器４は、ガス・水蒸気送給流路１０を介して気化器１２に接続されている。気化器１２は、燃料ガス供給流路１４を介して燃料ガスを供給するための燃料ガス供給源１６（例えば、埋設管や貯蔵タンクなど）に接続され、燃料ガス供給源１６及び燃料ガス供給流路１４が、燃料ガスを供給するための燃料ガス供給手段を構成する。また、この気化器１２は、水供給流路１８を介して改質水タンク２０に接続され、水供給流路１８及び改質水タンク２０が、改質水を供給するための水供給手段を構成する。
【００３４】
改質器４には改質触媒が収容され、改質触媒として例えばアルミナにルテニウムを担持させたものが用いられ、この改質触媒によって燃料ガス供給流路１４を通して供給される燃料ガスが水蒸気改質される。尚、この実施形態では、改質器４と気化器１２とを別体に構成しているが、これらを一体的に構成するようにしてもよい。また、この実施形態では、燃料ガス供給手段からの燃料ガスを気化器１２に送給しているが、この気化器１２に代えて、改質器４に直接的に送給するようにしてもよい。
【００３５】
燃料ガス供給流路１４には、脱硫器２２、昇圧ポンプ２４、圧力調整弁２６（例えば、ゼロガバナ、マイナスガバナなど）、燃料ガス流量センサ２８及び遮断弁３０が配設されている。脱硫器２２は、燃料ガスに含まれる硫黄成分（付臭剤中の硫黄成分）を除去する。この脱硫器２２及びこれに関連する構成については、後に詳述する。昇圧ポンプ２４は、燃料ガス供給流路１４を流れる燃料ガスを昇圧し、燃料ガス供給源１６からの燃料ガスを気化器１２に送給する。また、圧力調整弁２６は、燃料ガス供給源１６から燃料ガス供給流路１４を通して供給される燃料ガスを所定圧力に調整し、燃料ガス流量センサ２８は、燃料ガス供給流路１４を通して送給される燃料ガスの流量を測定し、遮断弁３０は、閉状態になると燃料ガス供給流路１４を遮断して燃料ガスの供給を停止する。また、水供給流路１８には水ポンプ３１が配設され、この水ポンプ３１の作用によって、改質水タンク２０内の水（回収水）が水供給流路１８を通して気化器１２に供給される。
【００３６】
この燃料電池セルスタック６の空気極の導入側は、空気供給流路３２を介して送風手段３４に接続され、この空気供給流路３４に空気流量センサ３６が配設されている。送風手段３４は、例えば送風ブロアから構成され、この送風手段３４の作用によって空気（酸化材）が空気供給流路３２を通して燃料電池セルスタック６の空気極側に供給され、空気流量センサ３６は、空気供給流路３２を流れる空気の流量を計測する。尚、この空気供給流路３２及び送風手段３４は、発電用の空気を供給するための空気供給手段を構成する。
【００３７】
燃料電池セルスタック６の燃料極及び空気極の排出側には燃焼域３８が設けられ、燃料電池セルスタック６の燃料極側から排出される反応燃料ガス（余剰の燃料ガスを含んでいる）と空気極側から排出される空気（酸素を含んでいる）とがこの燃焼域３８に送給されて燃焼され、この燃料ガスの燃焼熱を利用して気化器１２及び改質器４が加熱される。燃焼域３８からの燃焼排気ガスが排気ガス排出流路４０を通して大気に排出される。尚、この燃焼排気ガスを利用して、空気供給流路３２を通して燃料電池セルスタック６に供給される空気を加温するようにしてもよい。
【００３８】
この実施形態では、燃焼排気ガスの熱が温水として貯えられるように貯湯装置４２が設けられているとともに、燃焼排気ガスに含まれる水分を回収して改質水と利用するように凝縮水回収手段４４が設けられている。更に説明すると、排気ガス排出流路４０には排熱回収用の熱交換器４６が配設され、この熱交換器４６に関連して貯湯装置４２及び凝縮水回収手段４４が設けられている。
【００３９】
図示の貯湯装置４２は、温水を貯める貯湯タンク４８と、貯湯タンク４８の貯湯水（温度が低いと水であるが、温度が高くなると温水となる）を熱交換器４６を通して循環させるための循環流路５０とを備え、この循環流路５０には、貯湯タンク４８内の貯湯水を循環流路５０を通して循環させる循環ポンプ５２が配設されている。このように構成されているので、熱交換器４６において、排気ガス排出流路４０を流れる燃焼排気ガスと循環流路５０を流れる水（貯湯水）との間で熱交換が行われ、この熱交換により加温された温水が貯湯タンク４８に貯えられる。
【００４０】
また、図示の凝縮水回収手段４４は、熱交換器４６から改質水タンク２０に延びる凝縮水回収流路５４を備え、この凝縮水回収流路５４に水精製器５６が配設されている。このように構成されているので、熱交換器４６による熱交換により燃焼排気ガスが冷やされ、これによって、燃焼排気ガスに含まれた水分が凝縮されて回収され、回収された凝縮水は水精製器５６により純水に精製された後に改質水タンク２０に貯えられる。
【００４１】
この実施形態では、改質器４、燃料電池セルスタック６、気化器１２及び燃焼域３８が収容ハウジング５８に収容されている。この収容ハウジング５８は、金属製（例えば、ステンレス鋼製）であり、その内面は断熱部材（図示せず）で覆われており、その内側に高温空間６０を規定し、改質器４、燃料電池セルスタック６、気化器１２が高温空間６０内で高温状態に保たれる。
【００４２】
この固体酸化物形燃料電池システム２では、脱硫器２２に用いる脱硫剤として、脱硫作用の高い超高次脱硫剤を用いるのが好ましく、このような超高次脱硫剤としては、例えば銅−亜鉛系脱硫剤、銅−亜鉛−アルミニウム系脱硫剤などを用いることができ、これらの超高次脱硫剤については例えば特許第２７６１６３６号公報などを参照されたい。
【００４３】
このような超高次脱硫剤は、２００〜３００℃（例えば２５０〜３００℃）の高温状態で優れた脱硫作用を発揮することから、脱硫器２２を収容ハウジング５８の外面に近接乃至接触して配設するのが好ましく、例えば特開２０１１−１５９４８５号公報に開示されているように配設することができる。
【００４４】
この固体酸化物形燃料電池システム２では、脱硫剤として超高次脱硫剤を用いることに関連して、改質器４にて改質された改質燃料ガスの一部が燃料ガス供給流路１４に戻されるように構成されている。更に説明すると、改質燃料ガスを戻すためのリサイクル流路６２が設けられ、リサイクル流路６２の一端側が改質器4の出口若しくは改質ガス供給流路８に接続され、その他端側が燃料ガス供給流路１４、具体的には昇圧ポンプ２４の配設部位よりも上流側（この実施形態では、昇圧ポンプ２４と圧力調整弁２６との間の部位）に接続されている。従って、改質器４から改質燃料ガス送給流路８を通して流れる改質燃料ガスの一部（リサイクルガス）がリサイクル流路６２を通して燃料ガス供給流路１４に戻される。
【００４５】
改質燃料ガスには水素が含まれており、このように改質燃料ガスをリサイクルすることにより、改質燃料ガス中の水素が燃料ガスに混合されて燃料ガス供給流路１４を通して脱硫器２２内の超高次脱硫剤に送給され、このような水素の使用条件下において超高次脱硫剤の使用が可能となる。尚、燃料ガスに含まれる水素は、０．７〜１．５％程度の濃度となるようにするのが好ましい。
【００４６】
このリサイクル流路６２には、ドレントラップ６４及びオリフィス部材６６が配設されている。ドレントラップ６４は、リサイクル流路６２を通して流れる改質燃料ガスに含まれる水分をトラップし、凝縮水排出流路６８を通して外部に排出する。また、オリフィス部材６６には流路孔（図示せず）が設けられ、かかる流路孔によってリサイクル流路６２を通して戻される改質燃料ガスの流量を調整する。尚、このリサイクル流路６２に電磁開閉弁（図示せず）を設け、この電磁開閉弁の開閉によってリサイクル流路６２を通しての改質燃料ガスのリサイクルをオン、オフするようにするようにしてもよい。
【００４７】
この固体酸化物形燃料電池システム２では、オリフィス部材６６（その流路孔）及びその付近に結露が発生しないように、オリフィス部材６６に加熱手段７０が設けられている。加熱手段７０は、例えば電気ヒータから構成され、通電により加熱してこのオリフィス部材６６における結露発生を防止する。尚、この加熱手段７０による加熱は、オリフィス部材６６の近傍を加熱するようにしてもよく、或いは少し加熱範囲を広くしてオリフィス部材６６及びその近傍を加熱するようにしてもよい。
【００４８】
上述したことに関連して、更に、燃料ガス供給流路１４に混合燃料ガス圧力センサ７２（混合燃料ガス圧力検知手段を構成する）が配設されている。この混合燃料ガス圧力センサ７２は、燃料ガス供給流路１４における、燃料ガス供給手段１６からの燃料ガスとリサイクル流路６２からの改質燃料ガスとが混合した混合燃料ガスが流れる混合流路部１４ａ（具体的には、昇圧ポンプ２４の配設部位と脱硫器２２の配設部位との間の混合流路部の部位）に設けられ、この混合流路部１４ａを流れる混合燃料ガスの圧力（即ち、混合流路部１４ａの流路圧力）を検知する。
【００４９】
次に、この固体酸化物形燃料電池システム２の発電運転について説明する。発電運転のときには、燃料ガス供給源１６からの燃料ガスが、燃料ガス供給流路１６を通して供給され、かく供給される燃料ガスには、リサイクル流路６２を通してリサイクルされる改質燃料ガスが混合され、混合された混合燃料ガスが昇圧ポンプ２４に送給され、昇圧ポンプ２４により昇圧された混合燃料ガスが燃料ガス供給流路１４を通して脱硫器２２に送給される。
【００５０】
脱硫器２２においては、超高次脱硫剤によって混合燃料ガス中に含まれた硫黄成分が除去される。脱硫器２２は収容ハウジング５８に近接乃至接触して配設されるので、脱硫器２２内の超高次脱硫剤が２００〜３００℃の高温状態に保たれるとともに、脱硫すべき混合燃料ガス中に水素が０．７〜１．５％程度の濃度となるように含まれているので、超高次脱硫剤は優れた脱硫作用を安定して発揮し、混合燃料ガス中に含まれた硫黄成分を所望の通りに除去することができる。
【００５１】
脱硫器２２にて脱硫された燃料ガス（混合燃料ガス）は、燃料ガス供給流路１４を通して気化器１２に送給される。この気化器１２には、また、改質水タンク２０からの水（純水）が水供給流路１８を通して供給され、かかる気化器１２にて気化されて水蒸気となり、発生した水蒸気及び燃料ガス（混合燃料ガス）がガス・水蒸気送給流路１０を通して改質器４に送給される。
【００５２】
改質器４においては、ガス・水蒸気送給流路１０を通して送給された水蒸気により燃料ガス（混合燃料ガス）が水蒸気改質され、水蒸気改質された改質燃料ガスが改質燃料ガス送給流路８を通して燃料電池セルスタック６の燃料極側に送給される。また、燃料電池セルスタック６の空気極側には空気供給流路３２を通して空気が送給される。
【００５３】
燃料電池セルスタック６においては、燃料極側を流れる改質燃料ガス及び空気極側を流れる空気（空気中の酸素）の酸化及び還元によって発電が行われ、発電により得られた直流の電力は、図示していないが、インバーター及びパワーコンディショナーを通して交流電力に変換されて家庭用の需要端に供給される。
【００５４】
燃料電池セルスタック６の燃料極側から燃焼域３８に反応燃料ガス（余剰の燃料ガスを含んでいる）が排出されるともに、その空気極側から燃焼域３８に空気（酸素を含んでいる）が排出され、この燃焼域３８にて反応燃料ガスが燃焼され、燃焼域３８からの燃焼排気ガスが排気ガス排出流路４０を通して大気に排出される。
【００５５】
燃焼排気ガスが熱交換器４６を流れる際に、貯湯装置４２の循環流路５０を流れる貯湯水との間で熱交換が行われ、熱交換により加温された貯湯水（温水）が貯湯タンク４８に貯えられる。また、熱交換器４６における熱交換により燃焼排気ガスに含まれる水分が凝縮され、この凝縮水が凝縮水回収流路５４を通り、水精製器５６により精製された後に改質水タンク５６に貯まる。
【００５６】
一方、改質器４から改質燃料ガス送給流路８を通して流れる改質燃料ガスの一部（リサイクルガス）は、リサイクル流路６２を通して流れ、ドレントラップ６４にて改質燃料ガスに含まれた水分が、ドレントラップ６４の温度における飽和水蒸気程度になるまで除かれ、ここで凝縮された水分は、凝縮水排出流路６８を通して排出され、水分が除かれた改質燃料ガスについては、燃料ガス供給流路１４に戻される。尚、ドレントラップ６４にて凝縮された凝縮水は、改質水タンク５６に回収するようにしてもよい。
【００５７】
このような発電運転状態において、ドレントラップ６４から燃料ガス供給流路１４との接続部までの間で、ドレントラップ６４よりも更に温度が低下すると、オリフィス部材６６の前段で結露水が発生し、この結露水がオリフィス部材６６を閉塞することがある。このような閉塞状態が生じてリサイクル流路６２を通しての改質燃料ガスの戻し流量が減少し続けると、脱硫器２２における燃料ガス中の水素濃度が最適値に保てないため、脱硫器２２での脱硫性能が悪化する。また、オリフィス部材を閉塞する結露水間にリサイクルガスが閉じ込められた状態になると、閉塞状態と閉塞状態の解消が交互に繰り返され、リサイクルガスの流量が安定しなくなるため、混合流路部１４ａに設けた混合燃料ガス圧力センサ７２の検知圧力の変動や、燃料ガス流量センサ２８の検知流量が不安定になる。
【００５８】
このように流路圧力の変動などの異常や、燃料ガス流量センサ２８の制御の不安定性を検知すると、加熱手段７０への通電が行われ、加熱手段７０はオリフィス部材６６を加熱し、オリフィス部材６６で発生した結露が解消される。その結果、リサイクル流路６２を通しての改質燃料ガス（リサイクルガス）の戻り流量が元の正常な状態に戻り、燃料ガス供給流路１４に所望量の改質燃料ガスをリサイクルすることができる。
【００５９】
尚、この実施形態では、燃料ガス供給流路１４の混合流路部１４ａに混合燃料ガス圧力センサ７２（混合燃料ガス圧力検知手段）を設けているが、これに代えて、混合燃料ガス流量センサ（混合燃料ガス流量検知手段）を設けるようにしてもよい。この場合、オリフィス部材６６で結露が発生すると、リサイクル流路６２を通しての改質燃料ガスの戻し流量が減少し、これによって、燃料ガス供給流路１４の混合流路部１４ａにおける混合燃料ガスの流量が正常運転状態のときの流量よりも低下し、混合燃料ガス流量センサ７２（混合燃料ガス圧力検知手段）は、この流量の異常を検知する。そして、この異常検知により加熱手段７０を作動させることにより、上述したと同様に、オリフィス部材６６における発生した結露を解消することができる。
【００６０】
尚、上述した実施形態では、燃料ガス供給流路１４の混合流路部１４ａに混合燃料ガス圧力検知手段（又は混合燃料ガス流量検知手段）を設けているが、このような混合燃料ガス圧力検知手段（又は混合燃料ガス流量検知手段）を省略するようにしてもよく、このような場合、加熱手段７０を常時付勢し、オリフィス部材６６における結露の発生の有無に関係なく加熱するようになる。
【００６１】
〔第２の実施形態〕
次いで、図２を参照して、固体酸化物形燃料電池システムの第２の実施形態について説明する。この第２の実施形態では、燃料ガス供給流路の混合流路部にオリフィス部材が設けられている。尚、以下の実施形態において、上述した第１の実施形態と実質上同一の部材には同一の参照番号を付し、その説明を省略する。
【００６２】
図２において、この固体酸化物形燃料電池システム２Ａでは、燃料ガス供給流路１４の混合流路部１４ａ（具体的には、リサイクル流路６２との接続部位と昇圧ポンプ２４の配設部位との間の部位）にオリフィス部材８２が配設され、このオリフィス部材８２は、この混合流路部１４ａを流れる混合燃料ガス（燃料ガス供給源１６からの燃料ガスとリサイクル流路６２からのリサイクルガスとが混合された混合燃料ガス）の流量を調整する。
【００６３】
また、このオリフィス部材８２に加熱手段８４が設けられ、この加熱手段８４は、上述と同様に電気ヒータから構成される。尚、加熱手段８４は、上述したと同様に、このオリフィス部材８２の近傍を加熱するようにしてもよく、或いはオリフィス手段８２及びその近傍を加熱するようにしてもよい。尚、この第２の実施形態の固体酸化物形燃料電池システムのその他の構成は、上述の第１の実施形態と実質上同一でよい。
【００６４】
この第２の実施形態においては、結露水による閉塞が発生し易いオリフィス部材８２に加熱手段８４が設けられているので、結露水による閉塞が発生して燃料ガス供給流路１４の混合流路部１４ａの流路圧力に変動が生じると、混合燃料ガス圧力センサ７２が流路圧力の異常として検知し、この異常検知に基づいて加熱手段８４（電気ヒータ）が付勢されてオリフィス部材８２を加熱する。従って、加熱手段８４の加熱によって、オリフィス部材８２での結露水による閉塞が解消され、その結果、燃料ガス供給流路１４の混合流路部１４ａでの混合燃料ガスの流れが元の正常な状態に戻り、脱硫器２２に所定の混合燃料ガスを供給することができる。
【００６５】
〔第３の実施形態〕
次に、図３を参照して、固体酸化物形燃料電池システムの第３の実施形態について説明する。この第３の実施形態では、リサイクル流路と燃料ガス供給流路の二つの部位にオリフィス部材が設けられている。
【００６６】
図３において、この第３の実施形態の固体酸化物形燃料電池システム２Ｂでは、改質燃料ガスの一部を燃料ガス供給流路１４に戻すリサイクル流路６２に第１オリフィス部材９２が設けられている。第１の実施形態と同様に、リサイクル流路１４の一端側は改質燃料ガス８に接続され、その他端側は燃料ガス供給流路１４（具体的には、圧力調整弁２６の配設部位と昇圧ポンプ５２の配設部位との間の部位）に接続され、このリサイクル流路６２に第１オリフィス部材９２が配設されている。また、上述した第２の実施形態と同様に、燃料ガス供給流路１４の混合流路部１４ａ（具体的には、リサイクル流路６２との接続部位と昇圧ポンプ２４の配設部位との間の部位）に第２オリフィス部材９４が配設されている。
【００６７】
更に、燃料ガス供給流路１４（具体的には、圧力調整弁２６の配設部位とリサイクル流路６２の配設部位との間の部位）に第３オリフィス部材９６が配設され、この第３オリフィス部材９６は、リサイクル流路６２からの流量と燃料ガス供給源１６から昇圧ポンプ２４に向けて供給される燃料ガスの流量との比をより安定的に調整する働きを有する。
【００６８】
この第３の実施形態では、更に、第１〜第３オリフィス部材９２〜９６又はこれの近傍に加熱手段９８が設けられている。加熱手段９８は例えば電気ヒータから構成され、図３では、第１オリフィス部材９２に対応し且つ第２及び第３オリフィス部材９４，９６の近傍に設けられている。この第３の実施形態の固体酸化物形燃料電池システムのその他の構成は、上述の第１の実施形態と実質上同一でよい。
【００６９】
この固体酸化物形燃料電池システムにおいて、第１、第２及び第３オリフィス部材９２，９４，９６のいずれか一つ又は二つ以上にて結露水による部分閉塞が発生して燃料ガス供給流路１４の混合流路部１４ａの流路の圧力値の振動が発生すると、混合燃料ガス圧力センサ７２が流路圧力の異常を検知し、この異常検知に基づいて加熱手段９８（電気ヒータ）が付勢される。このように付勢されると、加熱手段８４は第１〜第３オリフィス部材９２，９４，９６を加熱し、かかる加熱によって、第１〜第３オリフィス部材９２，９４，９６で発生した結露水による部分閉塞が解消され、その結果、燃料ガス供給流路１４での燃料ガスの流れ、リサイクル流路６２を通してのリサイクルガスの流れ及び燃料ガス供給流路１４の混合流路部１４ａでの混合燃料ガスの流れが正常な状態となり、脱硫器２２に所定の混合燃料ガスを供給することができる。
【００７０】
この実施形態では、第１オリフィス部材９２に対応して加熱手段９８を配設しているが、第２オリフィス部材９４（又は第３オリフィス部材９６）に対応し且つ第１及び第３オリフィス部材９６（又は第１及び第２オリフィス部材９２，９４）の近傍に加熱手段９８を配設するようにしてもよい（この場合、加熱手段９８からの熱が逃げ難くするために、第１〜第３オリフィス部材９２，９４，９６を収容ハウジング１００内に収容するようにしてもよい）。或いは、第１〜第３オリフィス部材９２，９４，９６の任意の二つに対応し且つ残り一つの近傍に配設するようにしてもよく、これらのよう構成しても加熱手段９８によって第１〜第３オリフィス部材９２，９４，９６を加熱することができる。また、上述した構成に代えて、第１〜第３オリフィス部材９２，９４，９６の任意の二つ又は三つに対応して加熱手段９８をそれぞれ配設するようにしてもよい。
【００７１】
〔第４の実施形態〕
次に、図４を参照して、固体酸化物形燃料電池システムの第４の実施形態について説明する。この第４の実施形態では、加熱手段に修正が施され、貯湯装置からの熱を利用してオリフィス部材を加熱するように構成されている。
【００７２】
図４において、この第４の実施形態の固体酸化物形燃料電池システム２Ｃでは、上述の第１の実施形態と同様に、リサイクル流路６２に第１オリフィス部材１１２が設けられ、また第２の実施形態と同様に、燃料ガス供給流路１４の混合流路部１４ａ（具体的には、リサイクル流路６２との接続部位と昇圧ポンプ２４の配設部位との間の部位）に第２オリフィス部材１１４が設けられている。
【００７３】
この第４の実施形態では、貯湯装置４２の循環流路５０（この形態では、熱交換器４６から貯湯タンク４８に流れる循環流路５０の下流側部５０b）が加熱手段として機能し、この循環流路５０（具体的には、この循環流路５０を規定する配管部材）からの熱が第１及び第２オリフィス部材１１２，１１４に伝達されるように構成されている。
【００７４】
更に説明すると、循環流路５０の上流側部５０ａに循環ポンプ５２が配設され、この循環流路５０（下流側部５０ｂを規定する配管部材）と第１オリフィス部材１１２との間に第１熱伝達部材１１６が配設され、循環流路５０からの熱が第１熱伝達部材１１６を介して第１オリフィス部材１１２に伝達される。また、この循環流路５０（下流側部５０ｂ）と第２オリフィス部材１１４との間に第２熱伝達部材１８が配設され、循環流路５０からの熱が第２熱伝達部材１１８を介して第２オリフィス部材１１４に伝達される。第１及び第２熱伝達部材１１６，１１８としては、例えば金属製支持プレートなどから構成される。この場合、循環流路５０並びに第１及び第２熱伝達部材１１６，１１８を断熱部材（図示せず）などで覆って外部への放熱を少なくすることができる。
【００７５】
この第４の実施形態の固体酸化物形燃料電池システム２Ｃでは、貯湯装置４２の循環流路５０の下流側部５０ｂを流れる貯湯水からの熱が第１及び第２熱伝達部材１１６，１１８を介して第１及び第２オリフィス部材１１２，１１４に伝達されて温められ、従って、このように構成しても、循環流路５０を流れる貯湯水の熱を利用して第１及び２オリフィス部材１１２，１１４での結露水による閉塞発生を防止することができる。この場合、循環流路５０を流れる貯湯水の熱を利用しているので、複雑な制御などは不要となり、簡単な構成でもって結露による閉塞発生を防止することができる。
【００７６】
また、上述した実施形態では、貯湯装置４２の循環流路５０を流れる貯湯水の熱を利用しているが、これに限定されず、貯湯タンク４８に貯えられた貯湯水（例えば、温水）の熱を利用して結露発生を防止するようにしてもよく、この場合、貯湯タンク４８と第１及び第２オリフィス部材１１２，１１４との間に第１及び第２熱伝達部材１１６，１１８を介在させ、これらの部材を有効に断熱するようにすればよい。
【００７７】
〔第５の実施形態〕
次に、図５を参照して、固体酸化物形燃料電池システムの第５の実施形態について説明する。この第５の実施形態では、加熱手段に修正が施され、貯湯装置からの熱を利用することに代えて、換気ファンからの温風を利用してオリフィス部材を加熱するように構成されている。
【００７８】
図５において、この第５の実施形態の固体酸化物形燃料電池システム２Ｄでは、上述した第４の実施形態と同様に、リサイクル流路６２に第１オリフィス部材１１２が設けられ、また燃料ガス供給流路１４の混合流路部１４ａに第２オリフィス部材１１４が設けられている。
【００７９】
また、電池収容ハウジング５８（燃料電池セルスタック６、改質器４及び気化器１２が収容されている）、脱硫器２２及び熱交換器４６などが発電ユニットハウジング１２２に収容されている。この発電ユニットハウジング１２２の内部は、制御系ユニット（例えば、パワーコンディショナー）（図示せず）からの熱、収容ハウジング５８の外壁からの熱、昇圧ポンプ２４などの各種補機からの熱などによって約４０〜５０℃前後の温度状態になる。このようなことから、この発電ユニットハウジング１２２内には換気ファン１２４が設けられ、この換気ファン１２４に関連して、外部に連通する換気ダクト１２６が設けられ、換気ファン１２４によって、発電ユニットハウジング１２２内の空気がこの換気ダクト１２６を通して外部に排出される。
【００８０】
この第５の実施形態の固体酸化物形燃料電池システム２Ｄでは、換気ファン１２４が加熱手段として機能し、この換気ファン１２４から外部に排出される空気（温風）を利用して第１及び第２オリフィス部材１１２，１１４が加熱されるように構成されている。更に説明すると、リサイクル流路６２の一部及び燃料ガス供給流路１４の混合流路部１４ａの一部が換気ダクト１２６内を通して配置され、この換気ダクト１２６内に位置するリサイクル流路６２の部位に第１オリフィス部材１１２が配置され、また換気ダクト１２６内に位置する混合流路部１４ａの部位に第２オリフィス部材１１４が配置されている。この第５の実施形態の固体酸化物形燃料電池システム２Ｄのその他の構成は、上述した第４の実施形態のものと実質上同一である。
【００８１】
このような固体酸化物形燃料電池システム２Ｄでは、換気ファン１２４から換気ダクト１２６を通して外部に排出される空気（温風）が第１及び第２オリフィス部材１１２，１１４及びこれらの周囲を流れ、かかる空気によって、第１及び第２オリフィス部材１１２，１１４及びこれの近傍が加熱され、従って、換気される空気の熱を利用して第１及び２オリフィス部材１１２，１１４での結露水による閉塞発生を防止することができる。この場合、換気ダクト１２６を通して換気される空気の熱を利用しているので、複雑な制御などは不要となり、簡単な構成でもって結露発生を防止することができる。
【００８２】
第４〜第５の実施形態では、第１及び第２オリフィス部材１１２，１１４を備えた固体酸化物形燃料電池システム２Ｃ〜２Ｄに適用して説明したが、第４の実施形態における貯湯装置の貯湯水の熱を利用する技術及び第５の実施形態における換気ファンからの温風の熱を利用する技術は、第１〜第３の実施形態のものにも同様に適用することができる。
【００８３】
以上、本発明に従う固体酸化物形燃料電池システムの各種実施形態について説明したが、本発明はかかる実施形態に限定されず、本発明の範囲を逸脱することなく種々の変更乃至修正が可能である。
【００８４】
例えば、上述した実施形態では、燃焼排気ガスの排熱を温水として回収する貯湯装置を備えた形態の固体酸化物形燃料電池システムに適用して説明したが、本発明はこのような燃料電池システムに限定されず、貯湯装置を備えていない形態の固体酸化物形燃料電池システムにも同様に適用することができる。
【符号の説明】
【００８５】
２，２Ａ，２Ｂ，２Ｃ，２Ｄ  固体酸化物形燃料電池システム
４  改質器
６  燃料電池セルスタック
１２  気化器
１４  燃料ガス供給流路
１４ａ  混合流路部
２２  脱硫器
３８  燃焼域
４２  貯湯装置
４６  熱交換器
４８  貯湯タンク
５０  循環流路
６２  リサイクル流路
６６，８２  オリフィス部材
７０，８４，９８  加熱手段
７２  混合燃料ガス圧力センサ（混合燃料ガス圧力検知手段）
９２，１１２  第１オリフィス部材
９４，１１４  第２オリフィス部材
９６  第３オリフィス部材
１１６，１１８  熱伝達部材
１２２  発電ユニットハウジング
１２４  換気ファン
１２６  換気ダクト
【図１】
2017147024.tif 000003
【図２】
2017147024.tif 000004
【図３】
2017147024.tif 000005
【図４】
2017147024.tif 000006
【図５】
2017147024.tif 000007